(57)【要約】【課題】読取処理の履歴に基づいて、より実効性の高い画像の読取条件を生成し、ユーザの設定負担を軽減すること。【解決手段】撮像部により撮像対象を撮像して画像を読み取る画像読取処理を制御する画像読取制御装置において、画像読取処理によって読み取られて生成される読取画像のデータ形式を特定するための形式情報を取得し、画像読取処理の実行に応じて、その画像読取処理によって生成された読取画像の画質を設定するための設定情報とその画像読取処理によって生成された読取画像の形式情報とを含む読取履歴情報を記憶媒体に記憶させ、取得された形式情報に基づいて読取履歴情報を参照し、形式情報により特定されるデータ形式で実行された画像読取処理の読取履歴情報に含まれる設定情報に基づいて、形式情報が取得された画像読取処理における読取画像の画質を設定することを特徴とする。【選択図】図３
2014225785.tif 000002
【特許請求の範囲】
【請求項１】
撮像部により撮像対象を撮像して画像を読み取る画像読取処理を制御する画像読取制御装置であって、
前記画像読取処理によって読み取られて生成される読取画像のデータ形式を特定するための形式情報を取得する形式情報取得部と、
前記画像読取処理の実行に応じて、その画像読取処理によって生成された前記読取画像の画質を設定するための設定情報とその画像読取処理によって生成された前記読取画像の形式情報とを含む読取履歴情報を記憶媒体に記憶させる読取履歴情報記憶処理部と、
取得された前記形式情報に基づいて前記読取履歴情報を参照し、前記形式情報により特定される前記データ形式で実行された画像読取処理の読取履歴情報に含まれる前記設定情報に基づいて、前記形式情報が取得された画像読取処理における前記読取画像の画質を設定する画質設定部と
を含むことを特徴とする画像読取制御装置。
【請求項２】
前記画質設定部は、
前記読取履歴情報の前記設定情報に含まれる設定項目ごとに、最も設定頻度の高い設定内容を特定し、
特定された前記設定内容に基づいて、前記形式情報が取得された画像読取処理における前記読取画像の画質を設定する
ことを特徴とする請求項１に記載の画像読取制御装置。
【請求項３】
前記画質設定部は、
前記読取履歴情報の前記設定情報に含まれる設定項目の組み合わせにおける最も設定頻度の高い設定内容を特定し、
特定された前記設定内容からなる前記設定項目の組み合わせに基づいて、前記形式情報が取得された画像読取処理における前記読取画像の画質を設定する
ことを特徴とする請求項１に記載の画像読取制御装置。
【請求項４】
前記画質設定部は、
前記読取履歴情報の前記設定情報に含まれる予め定められた設定項目において最も設定頻度の高い設定内容を特定し、
前記読取履歴情報のうち、特定された前記設定内容を示す前記予め定められた設定項目を含む前記設定情報の前記読取履歴情報を取得し、
取得された前記読取履歴情報の前記設定情報に含まれる設定項目ごとに、最も設定頻度の高い設定内容を特定し、
特定された前記設定内容に基づいて、前記形式情報が取得された画像読取処理における前記読取画像の画質を設定する
ことを特徴とする請求項１に記載の画像読取制御装置。
【請求項５】
前記画質設定部は、
前記読取履歴情報の前記設定情報に含まれる予め定められた設定項目において最も設定頻度の高い設定内容を特定し、
前記読取履歴情報のうち、特定された前記設定内容を示す前記予め定められた設定項目を含む前記設定情報の前記読取履歴情報を取得し、
取得された前記読取履歴情報の前記設定情報に含まれる設定項目の組み合わせにおける最も設定頻度の高い設定内容を特定し、
特定された前記設定内容からなる前記設定項目の組み合わせに基づいて、前記形式情報が取得された画像読取処理における前記読取画像の画質を設定する
ことを特徴とする請求項１に記載の画像読取制御装置。
【請求項６】
前記予め定められた設定項目は、前記読取画像の画質に関わる項目である
請求項４又は５に記載の画像読取制御装置。
【請求項７】
前記画質設定部は、前記読取画像を読み取る画像読取処理を実行する利用者が前記形式情報により特定される前記データ形式で実行した画像読取処理の読取履歴情報に含まれる前記設定情報に基づいて、前記形式情報が取得された画像読取処理における前記読取画像の画質を設定する
ことを特徴とする請求項１〜６のいずれか１項に記載の画像読取制御装置。
【請求項８】
撮像部により撮像対象を撮像して画像を読み取る画像読取処理を制御するための画像読取制御方法であって、
前記画像読取処理によって読み取られて生成される読取画像のデータ形式を特定するための形式情報を取得し、
前記画像読取処理の実行に応じて、その画像読取処理によって生成された前記読取画像の画質を設定するための設定情報とその画像読取処理によって生成された前記読取画像の形式情報とを含む読取履歴情報を記憶媒体に記憶させ、
取得された前記形式情報に基づいて前記読取履歴情報を参照し、前記形式情報により特定される前記データ形式で実行された画像読取処理の読取履歴情報に含まれる前記設定情報に基づいて、前記形式情報が取得された画像読取処理における前記読取画像の画質を設定する
ことを特徴とする画像読取制御方法。
【請求項９】
撮像部により撮像対象を撮像して画像を読み取る画像読取処理を制御するための画像読取制御プログラムであって、
前記画像読取処理によって読み取られて生成される読取画像のデータ形式を特定するための形式情報を取得するステップと、
前記画像読取処理の実行に応じて、その画像読取処理によって生成された前記読取画像の画質を設定するための設定情報とその画像読取処理によって生成された前記読取画像の形式情報とを含む読取履歴情報を記憶媒体に記憶させるステップと、
取得された前記形式情報に基づいて前記読取履歴情報を参照し、前記形式情報により特定される前記データ形式で実行された画像読取処理の読取履歴情報に含まれる前記設定情報に基づいて、前記形式情報が取得された画像読取処理における前記読取画像の画質を設定するステップと
を情報処理装置に実行させることを特徴とする画像読取制御プログラム。
【発明の詳細な説明】
【技術分野】
【０００１】
本発明は、画像読取制御装置、画像読取制御方法及び画像読取制御プログラムに関し、特に、画像の読取処理の際に用いられる読取条件の設定に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
このような複合機に含まれるスキャナにおいて原稿を撮像して画像を読み取る際に、ユーザは、読取画像の解像度、読み取りサイズ、濃度等の各設定項目を含む読取条件を毎回設定する必要があり、手間がかかる。そこで、ユーザの過去の読取処理における読取条件の設定履歴から読取条件の各項目において設定されている値の設定回数を算出し、算出した各項目における設定回数に基づいて読取条件を自動的に設定することが考えられる。また、読取処理の履歴を用いるものとして、読取画像の送信先ごとに送信回数をカウントし、送信頻度の高い送信先を確認しやすくする表示方法が提案されている（例えば、特許文献１を参照）。
【発明の概要】
【発明が解決しようとする課題】
【０００４】
しかしながら、画像の読取処理においては、読み取られて生成される読取画像に求められる画質等により各項目に適する値が異なるので、上述のように単に読取条件の各項目の値の設定回数に基づいて読取条件を設定するだけでは、所望の読取条件にはならない可能性が高く実効性が低い。また、特許文献１の技術においては、送信頻度の高い送信先を確認することが考慮されているが、読取条件の設定については考慮されていない。
【０００５】
本発明は、このような課題を解決するためになされてものであり、読取処理の履歴に基づいて、より実効性の高い画像の読取条件を生成し、ユーザの設定負担を軽減することを目的とする。
【課題を解決するための手段】
【０００６】
上記課題を解決するために、本発明の一態様は、撮像部により撮像対象を撮像して画像を読み取る画像読取処理を制御する画像読取制御装置であって、前記画像読取処理によって読み取られて生成される読取画像のデータ形式を特定するための形式情報を取得する形式情報取得部と、前記画像読取処理の実行に応じて、その画像読取処理によって生成された前記読取画像の画質を設定するための設定情報とその画像読取処理によって生成された前記読取画像の形式情報とを含む読取履歴情報を記憶媒体に記憶させる読取履歴情報記憶処理部と、取得された前記形式情報に基づいて前記読取履歴情報を参照し、前記形式情報により特定される前記データ形式で実行された画像読取処理の読取履歴情報に含まれる前記設定情報に基づいて、前記形式情報が取得された画像読取処理における前記読取画像の画質を設定する画質設定部とを含むことを特徴とする。
【０００７】
また、本発明の他の態様は、撮像部により撮像対象を撮像して画像を読み取る画像読取処理を制御するための画像読取制御方法であって、前記画像読取処理によって読み取られて生成される読取画像のデータ形式を特定するための形式情報を取得し、前記画像読取処理の実行に応じて、その画像読取処理によって生成された前記読取画像の画質を設定するための設定情報とその画像読取処理によって生成された前記読取画像の形式情報とを含む読取履歴情報を記憶媒体に記憶させ、取得された前記形式情報に基づいて前記読取履歴情報を参照し、前記形式情報により特定される前記データ形式で実行された画像読取処理の読取履歴情報に含まれる前記設定情報に基づいて、前記形式情報が取得された画像読取処理における前記読取画像の画質を設定することを特徴とする。
【０００８】
また、本発明の更に他の態様は、撮像部により撮像対象を撮像して画像を読み取る画像読取処理を制御するための画像読取制御プログラムであって、前記画像読取処理によって読み取られて生成される読取画像のデータ形式を特定するための形式情報を取得するステップと、前記画像読取処理の実行に応じて、その画像読取処理によって生成された前記読取画像の画質を設定するための設定情報とその画像読取処理によって生成された前記読取画像の形式情報とを含む読取履歴情報を記憶媒体に記憶させるステップと、取得された前記形式情報に基づいて前記読取履歴情報を参照し、前記形式情報により特定される前記データ形式で実行された画像読取処理の読取履歴情報に含まれる前記設定情報に基づいて、前記形式情報が取得された画像読取処理における前記読取画像の画質を設定するステップとを情報処理装置に実行させることを特徴とする。
【発明の効果】
【０００９】
本発明によれば、読取処理の履歴に基づいて、より実効性の高い画像の読取条件を生成し、ユーザの設定負担を軽減することができる。
【図面の簡単な説明】
【００１０】
【図１】本発明の実施形態に係る画像形成装置のハードウェア構成を模式的に示すブロック図である。
【図２】本発明の実施形態に係る画像形成装置の機能構成を示すブロック図である。
【図３】本発明の実施形態に係る画像形成装置の主制御部の機能構成を示すブロック図である。
【図４】本発明の実施形態に係るユーザ情報ＤＢに含まれる情報の例を示す図である。
【図５】本発明の実施形態に係るデータ履歴ＤＢに含まれる情報の例を示す図である。
【図６】本発明の実施形態に係る設定履歴ＤＢに含まれる情報の例を示す図である。
【図７】本発明の実施形態に係る画像形成装置の表示部に表示される表示画面の例を示す図である。
【図８】本発明の実施形態に係る読取条件生成処理を示すフローチャートである。
【図９】本発明の実施形態に係る画像形成装置の表示部に表示される表示画面の例を示す図である。
【図１０】本発明の実施形態に係る処理履歴生成処理を示すフローチャートである。
【図１１】本発明の実施形態に係る画像形成装置の表示部に表示される表示画面の例を示す図である。
【図１２】本発明の実施形態に係る格納先フォルダ名とデータ形式とが対応付けられた情報の例を示す図である。
【図１３】本発明の実施形態に係る指定された情報に応じたデータ形式取得処理を示すフローチャートである。
【図１４】本発明の他の実施形態に係るシステムの運用形態を示す図である。
【図１５】本発明の他の実施形態に係るＰＣの表示部に表示される表示画面の例を示す図である。
【図１６】本発明の他の実施形態に係るシステムの運用形態を示す図である。
【発明を実施するための形態】
【００１１】
以下、図面を参照して、本発明の実施形態を詳細に説明する。本実施形態においては、スキャナ機能を含む複合機（ＭＦＰ；Ｍｕｌｔｉ  Ｆｕｎｃｔｉｏｎ  Ｐｅｒｉｐｈｅｒａｌ）としての画像形成装置を例として説明する。
【００１２】
図１は、本実施形態に係る画像形成装置１のハードウェア構成を示すブロック図である。図１に示すように、本実施形態に係る画像形成装置１は、一般的なサーバやＰＣ（Ｐｅｒｓｏｎａｌ  Ｃｏｍｐｕｔｅｒ）等と同様の構成を含む。
【００１３】
すなわち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像形成装置１の場合、画像形成出力やスキャンを実行するエンジンが含まれる。
【００１４】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。なお、ＨＤＤの他、ＳＳＤ（Ｓｏｌｉｄ  Ｓｔａｔｅ  Ｄｒｉｖｅ）等の半導体記憶装置を用いても良い。
【００１５】
Ｉ／Ｆ５０は、バス８０と各種のハードウェアやネットワーク等を接続し制御する。ＬＣＤ６０は、ユーザが画像形成装置１の状態を確認するための視覚的ユーザインタフェースである。操作部７０は、キーボード、マウス、各種のハードボタン、タッチパネル等、ユーザが画像形成装置１に情報を入力するためのユーザインタフェースである。
【００１６】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像形成装置１の機能を実現する機能ブロックが構成される。
【００１７】
次に、本実施形態に係る画像形成装置１の機能について説明する。図２は、本実施形態に係る画像形成装置１の機能構成を示すブロック図である。図２に示すように、本実施形態に係る画像形成装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１１１、排紙トレイ１１２、ディスプレイパネル１１３、給紙テーブル１１４、プリントエンジン１１５、排紙トレイ１１６、ネットワークＩ／Ｆ１１７及び近距離通信Ｉ／Ｆ１１８を有する。
【００１８】
また、コントローラ１００は、主制御部１３０、エンジン制御部１０１、入出力制御部１０２、画像処理部１０３及び操作表示制御部１０４を有する。図２に示すように、本実施形態に係る画像形成装置１は、スキャナユニット１１１、プリントエンジン１１５を有する複合機として構成されている。なお、図２においては、電気的接続を実線の矢印で示しており、用紙の流れを破線の矢印で示している。
【００１９】
ディスプレイパネル１１３は、画像形成装置１の状態を視覚的に表示する出力インタフェースであると共に、タッチパネルとしてユーザが画像形成装置１を直接操作し若しくは画像形成装置１に対して情報を入力する際の入力インタフェース（操作部）でもある。ネットワークＩ／Ｆ１１７は、画像形成装置１がネットワークを介して管理者用端末等の他の機器と通信するためのインタフェースであり、Ｅｔｈｅｒｎｅｔ（登録商標）やＵＳＢインタフェースが用いられる。
【００２０】
近距離通信Ｉ／Ｆ１１８は、画像形成装置１が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。
【００２１】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像形成装置１全体を制御する制御部として機能する。
【００２２】
主制御部１３０は、コントローラ１００に含まれる各部を制御する役割を担い、コントローラ１００の各部に命令を与える。エンジン制御部１０１は、プリントエンジン１１５やスキャナユニット１１１等を制御若しくは駆動する駆動手段としての役割を担う。入出力制御部１０２は、ネットワークＩ／Ｆ１１７、近距離通信Ｉ／Ｆ１１８を介して入力される信号や命令を主制御部１３０に入力する。また、主制御部１３０は、入出力制御部１０２を制御し、ネットワークＩ／Ｆ１１７や近距離通信Ｉ／Ｆ１１８及びネットワークを介して他の装置にアクセスする。
【００２３】
画像処理部１０３は、主制御部１３０の制御に従い、印刷出力すべき画像情報に基づいて描画情報を生成する。この描画情報とは、画像形成部であるプリントエンジン１１５が画像形成動作において形成すべき画像を描画するための情報である。また、画像処理部１０３は、スキャナユニット１１１から入力される撮像データを処理し、画像データを生成する。この画像データとは、スキャナ動作の結果物として画像形成装置１に格納され若しくはネットワークＩ／Ｆ１１７や近距離通信Ｉ／Ｆ１１８を介して他の機器に送信される情報である。操作表示制御部１０４は、ディスプレイパネル１１３に情報表示を行い若しくはディスプレイパネル１１３を介して入力された情報を主制御部１３０に通知する。
【００２４】
画像形成装置１がプリンタとして動作する場合は、まず、入出力制御部１０２がネットワークＩ／Ｆ１１７を介して印刷ジョブを受信する。入出力制御部１０２は、受信した印刷ジョブを主制御部１３０に転送する。主制御部１３０は、印刷ジョブを受信すると、画像処理部１０３を制御して印刷ジョブに含まれる文書情報若しくは画像情報に基づいて描画情報を生成する。画像処理部１０３によって描画情報が生成されると、エンジン制御部１０１は、生成された描画情報に基づき、給紙テーブル１１４から搬送される用紙に対して画像形成を実行する。プリントエンジン１１５の具体的態様としては、インクジェット方式による画像形成機構や電子写真方式による画像形成機構等を用いることが可能である。プリントエンジン１１５によって画像形成が施された文書は排紙トレイ１１６に排紙される。
【００２５】
画像形成装置１がスキャナ、すなわち画像読取制御装置として動作する場合は、ユーザによるディスプレイパネル１１３の操作若しくはネットワークＩ／Ｆ１１７を介して外部の機器から入力されるスキャン実行指示に応じて、操作表示制御部１０４若しくは入出力制御部１０２が主制御部１３０にスキャン実行信号を転送する。主制御部１３０は、受信したスキャン実行信号に基づき、エンジン制御部１０１を制御する。エンジン制御部１０１は、ＡＤＦ１１０を駆動し、ＡＤＦ１１０にセットされた撮像対象原稿をスキャナユニット１１１に搬送する。また、エンジン制御部１０１は、スキャナユニット１１１を駆動し、ＡＤＦ１１０から搬送される原稿を撮像する。また、ＡＤＦ１１０に原稿がセットされておらず、スキャナユニット１１１に直接原稿がセットされた場合、スキャナユニット１１１は、エンジン制御部１０１の制御に従い、セットされた原稿を撮像する。即ち、スキャナユニット１１１が撮像部として動作する。
【００２６】
撮像動作においては、スキャナユニット１１１に含まれるＣＣＤ等の撮像素子が原稿を光学的に走査し、光学情報に基づいた撮像情報が生成される。エンジン制御部１０１は、スキャナユニット１１１が生成した撮像情報を画像処理部１０３に転送する。画像処理部１０３は、主制御部１３０の制御に従い、エンジン制御部１０１から受信した撮像情報に基づき画像情報を生成する。画像処理部１０３が生成した画像情報はＨＤＤ４０等の画像形成装置１に装着された記憶媒体に保存される。画像処理部１０３によって生成された画像情報は、ユーザの指示に応じてそのままＨＤＤ４０等に格納され若しくはネットワークＩ／Ｆ１１７、近距離通信Ｉ／Ｆ１１８を介して、入出力制御部１０２により外部の装置に送信される。
【００２７】
また、画像形成装置１が複写機として動作する場合は、エンジン制御部１０１がスキャナユニット１１１から受信した撮像情報若しくは画像処理部１０３が生成した画像情報に基づき、画像処理部１０３が描画情報を生成する。その描画情報に基づいてプリンタ動作の場合と同様に、エンジン制御部１０１がプリントエンジン１１５を駆動する。
【００２８】
このような画像形成装置１において、本実施形態に係る要旨は、スキャナによる読取処理の履歴に基づいて、より実効性の高い読取条件を設定することにある。本実施形態に係る画像形成装置１は、読取処理により生成される画像データの形式及び読取処理の履歴に基づいて、その読取処理に適した読取条件を設定する。以下、本実施形態に係る構成として、本実施形態に係る主制御部１３０の機能構成について説明する。
【００２９】
図３は、本実施形態に係る主制御部１３０の機能構成を例示するブロック図である。図３に示すように、本実施形態に係る主制御部１３０は、ユーザ情報ＤＢ１３１、認証処理部１３２、データ履歴ＤＢ１３３、設定履歴ＤＢ１３４、形式情報取得部１３５、読取条件設定部１３６、履歴記憶処理部１３７及び処理履歴生成部１３８を含む。
【００３０】
ユーザ情報ＤＢ１３１は、各ユーザのログイン認証に用いられるユーザ情報を格納する。図４は、ユーザ情報ＤＢ１３１に格納されているユーザ情報を例示する図である。ユーザ情報ＤＢ１３１は、例えば図４に示すように、ユーザごとに「ユーザＩＤ」、「パスワード」及び「ユーザ名」が関連付けられたユーザ情報を格納する。「ユーザＩＤ」は、各ユーザを一意に識別するための識別情報を示し、「パスワード」は、ユーザＩＤによって識別されるユーザを認証するための認証情報を示し、「ユーザ名」は、ユーザの名称を示す。
【００３１】
認証処理部１３２は、画像形成装置１のディスプレイパネル１１３に表示されるＧＵＩ（Ｇｒａｐｈｉｃ  Ｕｓｅｒ  Ｉｎｔｅｒｆａｃｅ）等を介して入力されたユーザＩＤ及びパスワードと、ユーザ情報ＤＢ１３１に格納されているユーザ情報とに基づいて、ユーザのログイン認証を行う。具体的には、認証処理部１３２は、入力されたユーザＩＤに対応するパスワードをユーザ情報ＤＢ１３１から取得し、取得したパスワードと入力されたパスワードとが一致した場合は、そのユーザをログイン認証する。なお、認証されたユーザのユーザＩＤは、ログオフするまでＲＡＭ２０等に記憶されているものとする。
【００３２】
また、認証処理は、上述のような態様の他、画像形成装置１に非接触式のカードリーダが設けられている場合は、ユーザに個別に配布されているＩＣ（Ｉｎｔｅｇｒａｔｅｄ  Ｃｉｒｃｕｉｔ）カードをカードリーダに読み取らせることにより行われる態様であってもよい。
【００３３】
データ履歴ＤＢ１３３は、画像形成装置１において上述のように読取処理により生成されてＨＤＤ４０等に記憶され若しくは外部の装置に送信された画像データの履歴（以下、「データ履歴」とする）を格納する。図５は、データ履歴ＤＢ１３３に格納されているデータ履歴を例示する図である。データ履歴ＤＢ１３３は、例えば図５に示すように、読取処理ごとに「処理ＩＤ」、「処理日時」、「ユーザＩＤ」、「ファイル名」、「データ形式」、「データサイズ」、「処理アドレス」及び「格納先フォルダ」が関連付けられたデータ履歴を格納する。
【００３４】
「処理ＩＤ」は、各読取処理を一意に識別するための識別情報を示し、「処理日時」は処理ＩＤによって識別される読取処理がなされた日時を示し、「ユーザＩＤ」は、読取処理を行ったユーザＩＤを示す。また、「ファイル名」は読取処理により生成された画像データのファイル名を示し、「データサイズ」は画像データの大きさを示し、「データ形式」は画像データのデータ形式（ＪＰＥＧ（Ｊｏｉｎｔ  Ｐｈｏｔｏｇｒａｐｈｉｃ  Ｅｘｐｅｒｔｓ  Ｇｒｏｕｐ）、ＰＤＦ（Ｐｏｒｔａｂｌｅ  Ｄｏｃｕｍｅｎｔ  Ｆｏｒｍａｔ）及びＴＩＦＦ（Ｔａｇｇｅｄ  Ｉｍａｇｅ  Ｆｉｌｅ  Ｆｏｒｍａｔ）等）を示す。また、「処理アドレス」は読取処理を行った画像形成装置１のＩＰ（Ｉｎｔｅｒｎｅｔ  Ｐｒｏｔｏｃｏｌ）アドレスを示し、「格納先フォルダ」は画像データが格納されたフォルダ名を示す。
【００３５】
設定履歴ＤＢ１３４は、画像形成装置１において読取処理を行う際に設定された読取条件の履歴（以下、「設定履歴」とする）を格納する。図６は、設定履歴ＤＢ１３４に格納されている設定履歴を例示する図である。設定履歴ＤＢ１３４は、例えば図６に示すように、読取処理ごとに「処理ＩＤ」、「原稿種類」（「カラー」、「モノクロ」等のカラーモード）、「解像度」、「読み取りサイズ」、「濃度」及び「原稿面」（「片面」、「両面」等の読取対象の原稿面）が関連付けられた設定履歴を格納する。すなわち、読取条件は、読取処理によって生成される画像の画質を設定するための情報を含む設定情報を示す。
【００３６】
形式情報取得部１３５は、読取処理の際にディスプレイパネル１１３に表示される読取処理のためのＧＵＩを介して指定された画像データのデータ形式を取得し、読取条件設定部１３６に対して出力する。図７は、読取処理の際にディスプレイパネル１１３に表示される読取処理のための表示画面を例示する図である。図７に示すように、読取処理のための表示画面を介して、例えば、読取条件、読取処理により生成される画像データのファイル名、画像データの格納先及び画像データのデータ形式が設定される。
【００３７】
そして、図７に示した表示画面に表示されている「スタート」ボタンが押下されると、主制御部１３０は、操作表示制御部１０４を介して、スキャン実行信号及び図７に示した表示画面を介して設定された各情報を受信し、受信した各情報に基づいて読取処理を開始する。また、図７に示した表示画面に表示されている「読取条件自動設定」ボタンが押下されると、操作表示制御部１０４は、後述する読取条件設定部１３６により生成された読取条件を取得してディスプレイパネル１１３に表示する。
【００３８】
また、図７に示した表示画面に表示されている「処理履歴表示」ボタンが押下されると、操作表示制御部１０４は、後述する処理履歴生成部１３８により生成された処理履歴を取得してディスプレイパネル１１３に表示する。なお、図７に示した表示画面の初期画面においては、初期設定されている読取条件が表示されてもよいし、表示画面の表示時に読取条件設定部１３６により生成された読取条件が表示されてもよい。
【００３９】
読取条件設定部１３６は、図７に示した表示画面に表示されている「読取条件自動設定」ボタンが押下されて、操作表示制御部１０４を介して読取条件の生成が指示されると、形式情報取得部１３５から入力されたデータ形式、データ履歴ＤＢ１３３に格納されているデータ履歴及び設定履歴ＤＢ１３４に格納されている設定履歴に基づいて、読取条件を生成する。以下、読取条件設定部１３６による読取条件生成処理を、図８を参照して説明する。
【００４０】
図８は、読取条件生成処理を例示するフローチャートである。図８に示すように、読取条件設定部１３６は、データ履歴ＤＢ１３３を参照して、ＲＡＭ２０等に格納されているユーザＩＤを含むデータ履歴を抽出する（Ｓ８００）。例えば、ユーザＩＤが「ｕ００１」の場合、読取条件設定部１３６は、図５に示したデータ履歴のうち、処理ＩＤが「ｐ０００１」、「ｐ０００３」、「ｐ０００４」のデータ履歴を抽出する。
【００４１】
ユーザＩＤに基づいてデータ履歴を抽出した読取条件設定部１３６は、データ形式が指定されている（つまり、図７に示した表示画面を介してデータ形式が設定され、形式情報取得部１３５から適切にデータ形式が入力された）場合（Ｓ８０１／ＹＥＳ）、抽出したデータ履歴から、指定されたデータ形式を含むデータ履歴をさらに抽出する（Ｓ８０２）。例えば、指定されたデータ形式が「ＪＰＥＧ」の場合、読取条件設定部１３６は、処理ＩＤが「ｐ０００１」、「ｐ０００３」、「ｐ０００４」のデータ履歴のうち、「ｐ０００１」、「ｐ０００４」のデータ履歴を抽出する。
【００４２】
一方、データ形式が指定されていない場合（Ｓ８０１／ＮＯ）、読取条件設定部１３６は、データ形式が選択されていない旨を通知する表示画面をディスプレイパネル１１３に表示させる等の形式未選択処理を行い、処理を終了する（Ｓ８０３）。
【００４３】
データ形式に基づいてデータ履歴を抽出した読取条件設定部１３６は、設定履歴ＤＢ１３４を参照して、抽出したデータ履歴の処理ＩＤを含む設定履歴を抽出する（Ｓ８０４）。例えば、抽出されたデータ履歴の処理ＩＤが「ｐ０００１」、「ｐ０００４」の場合、読取条件設定部１３６は、図６に示した設定履歴のうち、処理ＩＤが「ｐ０００１」、「ｐ０００４」の設定履歴を抽出する。
【００４４】
設定履歴を抽出した読取条件設定部１３６は、抽出した設定履歴に含まれる設定項目ごとに、最も設定頻度の高い（最も設定回数の多い）値（設定内容）を各項目の値とする読取条件を生成して、処理を終了する（Ｓ８０５）。例えば、読取条件設定部１３６は、抽出された設定履歴から、原稿種類が「カラー」、解像度が「２００ｄｐｉ」、読み取りサイズが「Ａ４」、濃度が「自動」及び原稿面が「両面」とする読取条件を生成する。
【００４５】
また、読取条件設定部１３６は、このように生成された読取条件を操作表示制御部１０４に対して出力する。これにより、ディスプレイパネル１１３には、読取条件設定部１３６により生成された読取条件を示す図９に示すような表示画面が表示されることとなる。また、図９に示した表示画面に表示されている「設定」ボタンが押下されると、読取条件設定部１３６は、生成した読取条件を、読取処理を行う際の読取条件として設定する。すなわち、読取条件設定部１３６は、読取処理によって生成される画像の画質を設定するための情報を含む読取条件を設定することから、読取処理によって生成される画像の画質を設定する画質設定部として機能する。
【００４６】
履歴記憶処理部１３７は、読取処理を行う際に用いられた読取条件を設定履歴ＤＢ１３４に記憶させる。また、履歴記憶処理部１３７は、その読取処理によって生成された画像データのデータ形式等を含む情報をデータ履歴ＤＢ１３３に記憶させる。すなわち、履歴記憶処理部１３７は、読取条件及びデータ形式を含む情報を読取履歴情報として記憶媒体に記憶させる読取履歴情報記憶処理部として機能する。
【００４７】
処理履歴生成部１３８は、図７に示した表示画面に表示されている「処理履歴表示」ボタンが押下されて、操作表示制御部１０４を介して処理履歴の生成が指示されると、データ履歴ＤＢ１３３に格納されているデータ履歴及び設定履歴ＤＢ１３４に格納されている設定履歴に基づいて、処理履歴を生成する。処理履歴とは、読取処理された画像データに関する情報や読取処理の際に用いられた読取条件を関連付けた情報である。以下、処理履歴生成部１３８による処理履歴生成処理を、図１０を参照して説明する。
【００４８】
図１０は、処理履歴生成処理を例示するフローチャートである。図１０に示すように、処理履歴生成部１３８は、データ履歴ＤＢ１３３を参照して、ＲＡＭ２０等に格納されているユーザＩＤを含むデータ履歴を抽出する（Ｓ１０００）。例えば、ユーザＩＤが「ｕ００１」の場合、処理履歴生成部１３８は、図５に示したデータ履歴のうち、処理ＩＤが「ｐ０００１」、「ｐ０００３」、「ｐ０００４」のデータ履歴を抽出する。
【００４９】
データ履歴を抽出した処理履歴生成部１３８は、設定履歴ＤＢ１３４を参照して、抽出したデータ履歴の処理ＩＤを含む設定履歴を抽出する（Ｓ１００１）。例えば、抽出されたデータ履歴の処理ＩＤが「ｐ０００１」、「ｐ０００３」、「ｐ０００４」の場合、処理履歴生成部１３８は、図６に示した設定履歴のうち、処理ＩＤが「ｐ０００１」、「ｐ０００３」、「ｐ０００４」の設定履歴を抽出する。
【００５０】
データ履歴及び設定履歴を抽出した処理履歴生成部１３８は、抽出したデータ履歴及び設定履歴から処理履歴を生成して、処理を終了する（Ｓ１００２）。具体的には、処理履歴生成部１３８は、抽出したデータ履歴及び設定履歴から、処理ＩＤが同じデータ履歴及び設定履歴の項目を合わせて、例えば、「処理ＩＤ」、「ユーザＩＤ」、「ファイル名」、「処理日時」、「データ形式」、「原稿種類」、「解像度」、「読み取りサイズ」、「濃度」及び「原稿面」を含む処理履歴を生成する。
【００５１】
また、処理履歴生成部１３８は、このように生成された処理履歴を操作表示制御部１０４に対して出力する。これにより、ディスプレイパネル１１３には、処理履歴生成部１３８により生成された処理履歴が表示されることとなる。図１１は、ディスプレイパネル１１３に表示された処理履歴の表示画面を例示する図である。図１１に示すように、表示画面には、処理履歴生成部１３８により生成された処理履歴の一覧が示される。また、図１１に示した表示画面の「戻る」ボタンが押下されると、表示されている処理履歴よりも前にリストされている処理履歴の一覧が表示され、「次へ」ボタンが押下されると、表示されている処理履歴よりも後にリストされている処理履歴の一覧が表示される。
【００５２】
また、図１１に示した表示画面に表示されている処理履歴一覧のうちの処理履歴の１つがユーザのクリック操作等により選択された状態で（図１１においては、選択された処理履歴が斜線でハッチングされている）、「設定」ボタンが押下されると、選択されている処理履歴に含まれる読取条件が操作表示制御部１０４を介して読取条件設定部１３６に対して出力される。なお、読取条件が読取条件設定部１３６に出力される前に、図９に示したような読取条件を示す表示画面を設定確認画面として表示させてもよい。
【００５３】
読取条件設定部１３６は、図１１に示した表示画面に表示されている「設定」ボタンが押下されることにより操作表示制御部１０４を介して入力された読取条件を、読取処理を行う際の読取条件として設定する。つまり、過去に用いられた読取条件が再度設定されることとなる。なお、上記実施形態においては、処理履歴生成部１３８により生成された処理履歴には、すべてのデータ形式が含まれているが、読取条件設定部１３６による読取条件生成処理と同様に、形式情報取得部１３５により入力されたデータ形式のみが含まれるようにしてもよい。
【００５４】
以上説明したように、本実施形態においては、過去に用いられた読取条件の設定履歴が読取処理される画像データのデータ形式により絞り込まれ、絞り込まれた設定履歴に基づいて読取条件が生成される。これにより、同じデータ形式の画像データを生成する場合に用いられた設定履歴に基づいて読取条件が生成されるので、読取処理により生成される画像の画質に適したより実効性の高い読取条件を設定することができ、ユーザの設定負担も軽減される。また、本実施形態によれば、過去に用いられた設定履歴を用いることもできるので、ユーザの設定負担が軽減される。
【００５５】
なお、上記実施形態における画像形成装置１は、撮像部として機能するカメラを有するモバイル端末であってもよい。この場合、画像形成装置１において読取処理により生成された画像データが、カメラにより撮像されて生成された画像データに対応し、画像形成装置１による読取処理の際の読取条件が、カメラにより撮像される際の撮像条件や撮像されて生成された画像データを格納先に格納するためのデータに変換する際の変換条件に対応する。
【００５６】
また、上記実施形態においては、読取条件設定部１３６が、データ形式により絞り込まれた設定履歴から、項目ごとに最も設定頻度の高い値を各項目の値とする読取条件を生成する場合を具体例として説明した。その他の態様として、読取条件設定部１３６は、データ形式により絞り込まれた設定履歴から、優先項目とされている項目の最も設定頻度の高い値を取得し、優先項目において取得した値と同じ値である設定履歴から、項目ごとに最も設定頻度の高い値を各項目の値とする読取情報を生成してもよい。
【００５７】
例えば、優先項目は、読取処理に用いられるデータ形式と相関が高い画像の画質に関連する項目（例えば、「解像度」）とする。この場合、データ形式が「ＪＰＥＧ」である設定履歴のうち解像度に対する設定頻度の最も高い値が２００ｄｐｉであるときは、読取条件設定部１３６は、設定履歴を、解像度２００ｄｐｉである設定履歴にさらに絞り込む。そして、読取条件設定部１３６は、絞り込まれた設定履歴から項目ごとに最も設定頻度の高い値を各項目の値として読取条件を生成する。これにより、データ形式と相関が高い項目によりさらに絞り込まれた設定履歴に基づいて読取条件が生成されるので、読取処理される画像の画質に適したさらに実効性の高い読取条件を設定することができる。
【００５８】
なお、優先項目の値は、データ形式により絞り込まれた設定履歴において最も設定頻度の高い値とするのではなく、各データ形式に対してそれぞれ予め定められた値としてもよい。また、データ形式と相関が高い画像の画質に関連する複数の優先項目（例えば、「解像度」及び「濃度」）に基づいて設定履歴の絞り込みが行われもよく、各項目に優先順位を設けて、優先順位の高い項目順に多段の設定履歴の絞り込みが行われてもよい。
【００５９】
また、さらにその他の態様として、読取条件設定部１３６は、項目ごとの設定頻度ではなく、最も設定頻度が高い項目の組み合わせを読取条件として設定してもよい。つまり、例えば、原稿種類が「カラー」、解像度が「２００ｄｐｉ」、読み取りサイズが「Ａ４」、濃度が「自動」、原稿面が「両面」の組み合わせが最も設定頻度の高い組み合わせである場合、これらの値を読取条件として設定する。これにより、指定されたデータ形式において最も多く使用された組み合わせにより読取条件が生成されるので、さらに実効性の高い読取条件を設定することができる。また、上述した優先項目により絞り込まれた設定履歴から最も設定頻度が高い項目の組み合わせが読取条件として設定されてもよい。
【００６０】
また、上記実施形態においては、形式情報取得部１３５が読取処理により生成される画像データのデータ形式を直接取得する場合を例として説明している。この他、データ形式を特定するための情報を取得し、取得した情報に基づいてデータ形式を特定するといった間接的にデータ形式を取得するような態様であってもよい。例えば、読取処理により生成される画像データの格納先によって、格納されるデータの内容や種類が決まっている場合（例えば、あるフォルダには請求書の読取画像データが格納され、あるフォルダには見積書の読取画像データが格納される）、データ形式も同じである場合が多い。
【００６１】
そこで、例えば、画像データの格納先フォルダ名が指定された場合、形式情報取得部１３５は、データ履歴ＤＢ１３３に格納されているデータ履歴のうち、指定された格納先フォルダ名を含むデータ履歴を取得する。そして、形式情報取得部１３５は、取得したデータ履歴に含まれるデータ形式のうち最も設定頻度の高いデータ形式を、読取条件設定部１３６が使用するデータ形式として取得する。
【００６２】
なお、格納先フォルダ名に対応付けられたデータ形式がテーブル等により予め定められている場合、形式情報取得部１３５は、テーブル等からデータ形式を取得してもよい。図１２は、格納先フォルダ名とデータ形式とが対応付けられたテーブルを例示する図である。例えば、格納先フォルダ名「\document\account」が指定された場合、形式情報取得部１３５は、図１２に示したテーブルを参照して、指定された格納先フォルダ名に対応するデータ形式「ＰＤＦ」を取得する。
【００６３】
また、データ履歴ＤＢ１３３に格納されているデータ履歴には、読取処理を行った装置の種類情報が含まれていてもよい。例えば、上述したように画像形成装置１だけでなく、カメラを有するモバイル端末により画像データが生成される場合等、複数の種類の装置により画像データが生成される場合は、装置の種類に応じて適するデータ形式や画質が異なると考えられる。
【００６４】
そこで、例えば、読取処理を行った装置の種類が指定された場合、形式情報取得部１３５は、データ履歴ＤＢ１３３に格納されているデータ履歴のうち、指定された装置の種類を含むデータ履歴を取得する。そして、形式情報取得部１３５は、取得したデータ履歴に含まれるデータ形式のうち最も設定頻度の高いデータ形式を、読取条件設定部１３６が使用するデータ形式として取得する。なお、装置の種類に対応付けられたデータ形式がテーブル等により予め定められている場合、形式情報取得部１３５は、テーブル等からデータ形式を取得してもよい。
【００６５】
また、データ履歴には、画像データを格納場所へ格納する際の格納手段（送信手段）が含まれていてもよい。例えば、送信手段には、メール、ＦＡＸ、ＳＭＢ（Ｓｅｖｅｒ  Ｍｅｓｓａｇｅ  Ｂｌｏｃｋ）転送等があり、送信手段によって送信データサイズ等に制約があることから、送信手段に応じて適するデータ形式や画質が異なると考えられる。そこで、送信手段が指定された場合も、形式情報取得部１３５は、上述の態様と同様に、指定された送信手段に基づいてデータ形式を取得してもよい。
【００６６】
このような構成により、ユーザがデータ形式を直接指定しなくとも、他の情報（形式情報）を指定することによりデータ形式が特定され、データ形式を指定した場合と同様に実効性の高い読取条件を設定することが可能となる。
【００６７】
なお、形式情報取得部１３５は、上述のようにデータ形式を取得する場合に、設定頻度及び対応デーブルのどちらを優先して使用するかを、指定された情報に応じて決定してもよい。図１３は、指定された格納先フォルダ名に応じたデータ形式取得処理を例示するフローチャートである。図１３に示すように、形式情報取得部１３５は、指定された格納先フォルダ名を取得する（Ｓ１３００）。
【００６８】
格納先フォルダ名を取得した形式情報取得部１３５は、取得した格納先フォルダ名に格納される画像データはデータ形式が固定である場合（例えば、請求書を格納するフォルダには、ＰＤＦ形式の請求書の画像データしか格納されない場合）であって（Ｓ１３０１／ＹＥＳ）、その格納先フォルダ名とデータ形式とが対応付けられた図１２に示すようなテーブルが存在するときは（Ｓ１３０２／ＹＥＳ）、テーブルを参照してデータ形式を取得する（Ｓ１３０３）。
【００６９】
一方、形式情報取得部１３５は、取得した格納先フォルダに格納される画像データのデータ形式が固定ではない場合（Ｓ１３０１／ＮＯ）又はデータ形式が固定であるが対応するテーブルが存在しない場合（Ｓ１３０２／ＮＯ）は、上述のように設定頻度に基づいてデータ形式を取得する（Ｓ１３０４）。なお、格納先フォルダに格納される画像データのデータ形式が固定であるか否かは、データ形式固定の格納先フォルダリスト等により予め定められているものとする。
【００７０】
また、読取後の処理として、図５に示したデータ履歴に含まれるデータサイズに応じて、データ送信時にデータ分割や圧縮を行う設定を付加してもよい。これにより、ユーザが指定することなく、メール等の送信データサイズに制約がある送信手段を用いる場合に適したデータサイズになるようデータを処理することが可能となる。
【００７１】
また、図８に示した読取条件生成処理及び図１０に示した処理履歴生成処理においては、ユーザＩＤによるデータ履歴の絞り込みは適宜省略されてもよい。その場合、認証処理部１３２によるユーザ認証処理も省略可能である。
【００７２】
また、上記実施形態においては、画像形成装置１のディスプレイパネル１１３に表示される表示画面を介して読取条件の設定、処理履歴の確認及び読取処理操作等を行う場合を例として説明した。この他、図１４に示すように、画像形成装置１とネットワークを介して接続されたＰＣ２のディスプレイにこれらの表示画面が表示される構成としてもよい。
【００７３】
図１５は、ＰＣ２のディスプレイに表示される管理画面を例示する図である。管理画面は、上述した読取条件の生成及び処理履歴の確認等を行うための画面である。管理画面は、例えば、ＰＣ２のディスプレイに表示されるログイン画面を介して入力されたユーザＩＤ及びパスワードに基づいて、画像形成装置１によりユーザのログイン認証がされることにより表示される。図１５に示す態様の場合、処理履歴生成部１３８により生成された処理履歴がネットワークＩ／Ｆ１１７を介してＰＣ２に対して送信され、送信された処理履歴がＰＣ２の図示しない表示制御部の制御によりディスプレイに表示される。
【００７４】
また、図１５に示したデータ形式のプルダウンからデータ形式が選択され、「最多設定読取条件表示」ボタンが押下されると、選択されたデータ形式がＰＣ２の図示しないネットワークＩ／Ｆを介して画像形成装置１に送信される。そして、送信されたデータ形式に基づいて読取条件設定部１３６により生成された読取条件が、ネットワークＩ／Ｆ１１７を介してＰＣ２に対して送信され、送信された読取条件がＰＣ２のディスプレイに表示される。
【００７５】
また、図１５に示したプルダウンにより年月日が指定され、「以降の履歴表示」ボタンが押下されると、処理履歴の一覧のうち、指定された年月日以降の処理履歴が表示される。また、「履歴情報更新」ボタンが押下されると、処理履歴生成部１３８により生成された最新の処理履歴に表示が更新される。また、図１５に示した表示画面に表示されている処理履歴一覧のうちの処理履歴の１つがユーザのクリック操作等により選択されると、その画像データの格納場所が表示され、例えば図１５に示した「データ取得」ボタンが押下されると、ＰＣ２はその格納場所にアクセスして画像データを取得する。
【００７６】
また、ＰＣ２のディスプレイに表示された管理画面においては、処理履歴の確認や生成された読取条件の確認を行うだけでなく、生成された読取条件による読取処理の開始を画像形成装置１に指示できるようにしてもよい。このような構成により、ユーザの自席のＰＣ等、画像形成装置１の設置場所とは離れた場所に設置されている装置から、読取条件を設定して読取処理を開始させることができる。また、ポータブルスキャナ等、画面を表示させる機構を有していない装置においても読取条件や処理履歴を確認することができる。
【００７７】
なお、図１５に示した管理画面には、初期画面ではログイン認証されたユーザによる読取処理に関する履歴等が表示されているが、ユーザの指示によりすべてのユーザの読取処理に関する履歴等が表示されるようにしてもよい。また、個別のユーザＩＤではなく画像形成装置１の管理者ＩＤ及びパスワードにより管理者モードでログインした場合、ＰＣ２は画像形成装置１を利用するすべてのユーザにより読取処理された画像データを取得できる構成としてもよい。また、ＰＣ２は、スマートフォン、タブレット端末、ＰＤＡ（Ｐｅｒｓｏｎａｌ  Ｄｉｇｉｔａｌ  Ａｓｓｉｓｔａｎｔｓ）等の可搬型の情報処理端末（モバイル端末）であってもよい。
【００７８】
また、上記実施形態においては、データ履歴及び設定履歴等の履歴情報が画像形成装置１に格納されている場合を例として説明した。この他、図１６に示すように、ｎ台の画像形成装置１−１〜１−ｎ（ｎは１以上の整数）からネットワークを介してアクセス可能なサーバ３を設け、上述の履歴情報がサーバ３に格納されるようにしてもよい。図１６に示す態様の場合、複数の画像形成装置１が、共通の履歴情報を参照することができるので、どの画像形成装置１において読取処理を行う場合であっても、共通の履歴情報に基づいて読取処理により生成される画像の画質に適した読取条件を設定することができる。また、図１６に示す態様に、図１５に示したＰＣ２が含まれる態様であってもよい。
【符号の説明】
【００７９】
１  画像形成装置
２  ＰＣ
３  サーバ
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  エンジン制御部
１０２  入出力制御部
１０３  画像処理部
１０４  操作表示制御部
１１０  ＡＤＦ
１１１  スキャナユニット
１１２  排紙トレイ
１１３  ディスプレイパネル
１１４  給紙テーブル
１１５  プリントエンジン
１１６  排紙トレイ
１１７  ネットワークＩ／Ｆ
１１８  近距離通信Ｉ／Ｆ
１３０  主制御部
１３１  ユーザ情報ＤＢ
１３２  認証処理部
１３３  データ履歴ＤＢ
１３４  設定履歴ＤＢ
１３５  形式情報取得部
１３６  読取条件設定部
１３７  履歴記憶処理部
１３８  処理履歴生成部
【先行技術文献】
【特許文献】
【００８０】
【特許文献１】特開２０１２−９５００４号公報
【図１】
2014225785.tif 000003
【図２】
2014225785.tif 000004
【図３】
2014225785.tif 000005
【図４】
2014225785.tif 000006
【図５】
2014225785.tif 000007
【図６】
2014225785.tif 000008
【図７】
2014225785.tif 000009
【図８】
2014225785.tif 000010
【図９】
2014225785.tif 000011
【図１０】
2014225785.tif 000012
【図１１】
2014225785.tif 000013
【図１２】
2014225785.tif 000014
【図１３】
2014225785.tif 000015
【図１４】
2014225785.tif 000016
【図１５】
2014225785.tif 000017
【図１６】
2014225785.tif 000018